(57)【要約】【目的】ウエスト部の一方とサイズ調節用スライダーとを予め固定せず、着用時に使用者自身が固定させるようにする。【構成】衣類のウエスト部分を切り込んで形成した重なり部分（２，３）の片面（３）内側に配置されたレール紐（６）と、前記レール紐上をスライド可能であるとともに、特定の位置で係止可能なサイズ調節用スライダー（１１）と、前記重なり部分の他方の面（２）の内側に設けられたホック（２１）からなる。前記調節用スライダー（１１）は、本体（１２）と、この本体内を上下方向に移動可能なプレス部材（１３）と、このプレス部材に付勢する弾性部材（１４）とからなる。前記本体は、左右側部を貫通する貫通孔（１６）と、上部開口（１７）を有する箱状体であり、前記貫通孔に隣接して、係合孔（１９）が形成されている。前記ホック（２１）と前記係合孔（１９）が係合する。【選択図】  図２
2004344199.tif 000002
【特許請求の範囲】
【請求項１】
衣類のウエスト部分を切り込んで形成した重なり部分（２，３；２Ａ，３Ａ）の片面（３；３Ａ）内側に配置されたレール紐（６；６Ａ）と、前記レール紐上をスライド可能であるとともに、特定の位置で係止可能なサイズ調節用スライダー（１１；１１Ａ）と、前記重なり部分の他方の面（２；２Ａ）の内側に設けられたホック（２１；２１Ａ）からなり、前記サイズ調節用スライダー（１１；１１Ａ）と前記ホック（２１；２１Ａ）が着脱自在であるウエストサイズの調節具であって、
前記調節用スライダー（１１；１１Ａ）は、本体（１２）と、この本体内を上下方向に移動可能なプレス部材（１３，１３Ａ）と、このプレス部材に付勢する弾性部材（１４）とからなるものにおいて、
前記本体（１２，１２Ａ）は、左右側部を貫通する貫通孔（１６）と、上部開口（１７）を有する箱状体であり、前記貫通孔（１６）に隣接して、係合孔（１９，１９Ａ）が形成されており、
前記ホック（２１；２１Ａ）と前記係合孔（１９，１９Ａ）が係合することを特徴とするウエストサイズの調節具。
【請求項２】
レール紐（６，６Ａ）に弾性体からなる延長部分（２４；２４Ａ）を設けた請求項１記載の調節具。
【請求項３】
サイズ調節用スライダー（１１Ａ）の本体部分側壁に、前記ホック（２２Ａ）の前記係合爪（２０Ａ）が当接する貫通孔（２５）が設けられている請求項１又は２記載の調節具。
【請求項４】
延長部分（２４；２４Ａ）を除き、すべての部品が合成樹脂製である請求項１ないし３の何れかに記載の調節具。
【発明の詳細な説明】
【０００１】
【発明の属する技術分野】
本発明は、衣服のウエストサイズの調節具に関する。
【０００２】
【従来の技術】
従来、ベルトレスズボン、スカート等の衣服の側面に設けるポケットを上端まで切開して、外側ウエスト部と内側ウエスト部とからなる重なり部を形成し、ここにウエストサイズの調節具を設けた発明、考案が各種知られている。例えば、複数の突起付きガイド用レールを内側ウエスト部の外側面に、これと係合してウエストを調節可能にするサイズ調節用スライダーを外側ウエスト部に、それぞれ取付けるようにした衣服のウエストサイズ調節具が、下記特許文献１，２により公知になっている。
【０００３】
しかしいずれも、構成が複雑であって部品点数が多く、組み立てが煩雑となるだけでなく、厚みが大となってウエスト部に違和感を与えていた。また調節操作が厚み方向に押圧する構成であるために、調節操作においては、ウエスト部分に指先を差し込んで厚み方向に摘む厄介な操作が必要であり、円滑な調節操作がやりにくかった。
【０００４】
この問題を解決するため、下記特許文献３では、構成が簡単であって部品点数が少なく、組み立てが容易となるだけでなく、厚みが薄くなってウエスト部に違和感を与えず、また調節操作においては、指先を差し込むことなく単に上下方向に摘む簡単な操作で円滑な調節操作ができる衣服用ウエストサイズ調節具が提案されている。
【０００５】
特許文献３の発明は、ガイド用テープとサイズ調節用スライダーとからなる。サイズ調節用スライダーは止め金具の刺し脚により外側ウエスト部に固定される。類似の構成は特許文献４にも見られる。この構成の欠点は、メーカーの立場では、止め金具と外側ウエスト部とサイズ調節用スライダーとを一緒にして固定する作業が困難であることである。また、使用者の立場からいうと、外側ウエスト部とサイズ調節用スライダーとが予め固定されているので、体格によっては、足や腰を衣類のウエスト部に差し入れるときに窮屈に感じる人もいるかも知れないことである。
【０００６】
そこで、特許文献５では、ウエスト部の一方とサイズ調節用スライダーとを予め固定せず、着用時に使用者自身が固定させる方式をとっている。具体的には、ウエスト部の一方に設けた雄体と、調節具主体に設けた係合長孔とを係合させている。
【０００７】
【特許文献１】実開平１−６２３０９号公報
【特許文献２】実開平１−１７７２２８号公報
【特許文献３】特開平７−７９８０８号公報
【特許文献４】実公平４−３５３７４号公報
【特許文献５】実公昭５９−２５８４６号公報
【０００８】
【発明が解決しようとする課題】
特許文献５における調節用スライダー（緊緩金具）は構成が複雑である。このスライダーは、調節具主体４に緊緩用引手８を回動自在に組合せている。調節具主体４は対向抱持片５を背方へ切り抜き曲設して形成している。緊緩用引手８はレールの保護布片を挿通して形成され、雄体と係合する係合長孔１５を有する。このようなスライダーの製造及び衣類への取付作業は極めて煩雑なものであり、衣類の製造価格を高騰させるであろう。
【０００９】
本発明は、特許文献５同様に、ウエスト部の一方とサイズ調節用スライダーとを予め固定せず、着用時に使用者自身が固定させる方式であるが、スライダーの構成を簡略化し、ウエスト部の一方とスライダーとの係合も簡便なものとすることにより、上記問題を解決することを目的とする。
【００１０】
【課題を解決するための手段】
本発明のウエストサイズの調節具は、衣類のウエスト部分を切り込んで形成した重なり部分の片面内側に配置されたレール紐と、前記レール紐上をスライド可能であるとともに、特定の位置で係止可能なサイズ調節用スライダーと、前記重なり部分の他方の面の内側に設けられたホックからなり、前記サイズ調節用スライダーと前記ホックが着脱自在であるウエストサイズの調節具であって、前記調節用スライダーは、本体と、この本体内を上下方向に移動可能なプレス部材と、このプレス部材に付勢する弾性部材とからなるものにおいて、前記本体は、左右側部を貫通する貫通孔と、上部開口を有する箱状体であり、前記貫通孔に隣接して、係合孔が形成されており、前記ホックと前記係合孔が係合することを特徴とする。
【００１１】
【発明の実施の態様】
本発明は、ズボンやスカート等に使用するウエストサイズの調節具であって、開閉部に形成した重なり部分に装着する。
【００１２】
サイズ調節用スライダーをレール紐上の特定の位置で係止するためには、レール紐に複数の突起を設けておき、この突起とサイズ調節用スライダーの爪を係合させるのが好ましい。突起は小立方体状が好ましい。ベルト長さと突起数はサイズにより、１０±５ｃｍと１０〜３０個の各範囲から選択して組合せることができる。サイズ調節用スライダーの爪と係合可能であれば、突起の代わりに、レール紐を貫通する孔でもよい。
【００１３】
両調節部分を構成する部材のうち、突起付きレール紐は目立つので、表面を衣類と同生地で覆うとよい。突起付きレール紐とサイズ調節用スライダーの接触面は、摩擦もしくは押さえ部材の爪で傷むので、可撓性があり耐磨耗性と耐久性を備える材料の使用が望ましい。
【００１４】
前記調節用スライダーは、本体と、この本体内を上下方向に移動可能なプレス部材と、このプレス部材に付勢する弾性部材とからなる。本発明では、前記本体は、左右側部を貫通する貫通孔と、上部開口を有する箱状体であり、前記貫通孔に隣接して、係合孔が形成されていることが特徴である。
【００１５】
好ましくは、レール紐に弾性体（例えば、ゴム紐やバネ）からなる延長部分を設ける。これにより、人為的なウエストサイズ変更に加えて、弾性体の伸び縮みによる自動的な微調整も同時に可能となる。
【００１６】
また、好ましくは、サイズ調節用スライダーの本体部分側壁に、前記止め具の前記係合爪が当接する貫通孔を設ける。これにより、止め具がサイズ調節用スライダーの貫通孔の壁に当たって抜けにくくなり、係合が確かなものとなる。
【００１７】
さらに好ましくは、延長部分を除きすべての部品を合成樹脂で構成する。
【００１８】
【実施例】
以下、添付の図面に基づき本発明の実施例を説明する。
【００１９】
＜第１実施例＞
図１は腰回りの一部を切り込んで重なり部分を形成したスカートの側面図である。図２は、図１のスカートの重なり部分や構成部品を意図的に広げた状態のウエストサイズの調節具（第１実施例）を着用者側から見た斜視図である。
【００２０】
図１のように、スカート１の重なり部分２と３の対向する面に、ウエストサイズの調節具５を取付ける。調節具５はレール紐６の一部が外側から見える程度で、その他の部分は重なり部分２に隠れる。図２では、図１の重なり部分２と３の間及び内側重なり部分２とレール紐６の間を意図的に拡げて、調節具の構成材の状態を示している。
【００２１】
図２に示すように、スカート１の上端の腰回りに作られた重なり部分３の裏面に、レール紐６とその延長部分２４が取り付けられている。レール紐６の左端と延長部分２４の右端は糸３１で縫い合わされて固定され、レール紐６の右端１０と延長部分２４の左端３０は糸でスカート上端に縫い合わされ、固定されている。
【００２２】
レール紐６は内面に小立方体状の突起８を上下２列にわたって多数形成したレール紐本体７と、スカートと同材料の被覆材９からなる。レール紐６は合成樹脂からなり、延長部分２４はゴム紐からなる。レール紐６の固定に先立ちサイズ調節用スライダー１１をレール紐６及び延長部分２４に通して、両者を一体化させる。
【００２３】
本実施例で使用しているサイズ調節用スライダー１１の主要部分の構成は、前記特許文献３に示されていて公知である（本願発明の特徴部分である係合孔１９を除く）。すなわち、図３（図２の３−３縦断面図）及び図４（図２の４−４横断面図）に示すように、本体１２と、プレス部材１３と、弾性部材１４とからなる。
【００２４】
本体１２は、左右側部を貫通する貫通孔１６と、上部開口１７を有する箱状体であり、内部に空間１８が形成されている。本体には、左右側部の貫通孔１６に隣接して、後記する目的のために、係合孔１９が形成されている。本体１２は、合成樹脂の一体成形が好ましい。
【００２５】
プレス部材１３は、合成樹脂成形が好ましく、上下方向に移動可能であり、前記本体上部開口部１７から上方向に突出する。弾性部材１４は、例えばバネであり、自然状態でこのプレス部材を上方向に押圧する。プレス部材１３は、小立方体状の係合突起１５が上下２段にわたって複数設けられており、プレス部材が自然状態のとき、前記レール紐の突起８と係合可能である（図３（ａ））。プレス部材をバネの力に抗して押し下げると、前記レール紐の突起８との係合が外れ、レール紐に沿ってスライド可能となる（図３（ｂ））。なお、図示しないが、自然状態でプレス部材１３が上方へ移動しすぎないように規制するためのストッパーが設けられている。このストッパーは、例えば箱状本体１２の上蓋に接触するプレス部材１３の肩部である。
【００２６】
一方、重なり部分２側には、図２に示すように、Ｕ字型の爪２０を有するホック２１が糸２３等により固定されている。爪２０の先端内側には係合力を強めるための抜け止め２２（図５参照）が設けられている。
【００２７】
使用時には、まず、スカートの中に足と腰を差し入れた後、図５に示すように、ホック２１の爪２０をサイズ調節用スライダー１１の前記係合孔１９に挿入することにより、重なり部分２とサイズ調節用スライダー１１とを結合させる。（図６の矢印参照。なお、図６は後記する第２実施例に関するものであり、係合孔は１９Ａ、爪は２０Ａで示されているが、この点の構成は第１実施例も第２実施例も同様である。）
【００２８】
ウエストサイズ調整のためには、サイズ調節用スライダー１１のプレス部材１３を押し下げて、係合突起１５をレール紐の突起８の係合を解除した後、適当な位置までサイズ調節用スライダー１１をスライドさせる。その後、適当な位置でプレス部材１３の押し下げを止め、バネ１４の力でプレス部材を自然状態に復帰させ、再び係合突起１５をレール紐の突起８に係合させる。この操作により、人為的にウエストサイズ変更が可能となる。さらに、ゴム紐からなる延長部分２４を設けているため、ゴム紐の伸び縮みによる自動的な微調整も可能である。
【００２９】
図示しないが、別の構成では、止め具２１をアイ又はバーとし、サイズ調節用スライダー１１側に係合爪を設け、両者を着脱自在に固定してもよい。
【００３０】
＜第２実施例＞
図６、図７は、本発明の第２実施例に関する。図６は、図１のスカートの重なり部分とウエストサイズの調節具（第２実施例）を第三者側（図２の反対側である）から見た斜視図である。図７は、重なり部分２，３を調節固定している状態の横断面図（図５と同じ部分）である。第１実施例と同じ部品には、同じ符号にＡを付けて示し、詳細な説明を省略する。
【００３１】
第２実施例が第１実施例と異なるのは、サイズ調節用スライダー１１の第三者側側面に貫通孔２５が設けられていることだけである。貫通孔２５は第三者側側面だけでよく、着用者側は不要である。
【００３２】
第２実施例において、爪２０Ａを係合孔１９Ａに挿入して両者を係合させたとき、図７に示すように、爪２０Ａの抜け止め２２Ａがサイズ調節用スライダー１１の貫通孔２５の壁に当たって抜けにくくなり、係合が確かなものとなる。
【００３３】
【発明の効果】
本発明によれば、特許文献３や４と異なり、衣服の重なり部分２と、サイズ調節用スライダー１１は予め結合されておらず、着用者自身が使用時に結合させる。その結合操作は、単にホックの爪をサイズ調節用スライダーの係合孔に差し込むだけの簡単なものである。
【００３４】
また、特許文献５とも異なり、サイズ調節用スライダーの構成は簡単であり、レール紐への取付も単に貫通孔を通すだけでよい。衣類のホックと係合するのは係合孔であり、サイズ調節用スライダー内で場所もとらず、簡単に形成することができる。
【図面の簡単な説明】
【図１】腰回りの一部を切り込んで重なり部分を形成したスカートの側面図である。
【図２】図１のスカートの重なり部分を意識的に広げたウエストサイズの調節具の斜視図（第１実施例）である。
【図３】図２の３−３縦断面図である。
【図４】図２の４−４横断面図である。
【図５】重なり部分２，３を調節固定している状態の横断面図である。
【図６】図１のスカートの重なり部分やウエストサイズの調節具（第２実施例）を第三者側（図２の反対側である）から見た斜視図である。
【図７】重なり部分２，３を調節固定している状態の横断面図（図５と同じ部分）である。
【符号の説明】
１          スカート
２，３；２Ａ，３Ａ      重なり部分
５，５Ａ            調節具
６，６Ａ            レール紐
７，７Ａ            レール紐本体
８，８Ａ            突起
９，９Ａ            被覆材
１１，１１Ａ    サイズ調節用スライダー
１２，１２Ａ    スライダー本体
１３，１３Ａ    プレス部材
１４，１４Ａ    弾性部材
１５，１５Ａ    係合突起
１６，１６Ａ    貫通孔
１７，１７Ａ    本体上部開口部
１９，１９Ａ    係合孔
２０，２０Ａ            爪
２１，２１Ａ            ホック
２２，２２Ａ            抜け止め
２４          延長部分（ゴム紐）
２５          貫通孔
【図１】
2004344199.tif 000003
【図２】
2004344199.tif 000004
【図３】
2004344199.tif 000005
【図４】
2004344199.tif 000006
【図５】
2004344199.tif 000007
【図６】
2004344199.tif 000008
【図７】
2004344199.tif 000009